(57)【要約】【課題】レンズホルダの軸孔をホルダ支持部材の支軸に押し当てる側圧の調整を簡単に行うことのできる軸摺動回動型の対物レンズ駆動機構を備えた光ヘッド装置を提案すること。【解決手段】軸摺動回動型の光ヘッド装置１において、支軸２３を磁性体とする一方、レンズホルダ１０には、支軸２３に軸孔１２ａの内周面を押付ける側圧用部材として側圧用マグネット５３が取り付けてある。このような構成であれば、側圧用マグネット５３に交換することで、側圧Ｓの方向を変えることなく、側圧Ｓの大きさを容易に調整できる。レンズホルダ１０をホルダ支持部材２０から浮上させるための磁性片５１、５２は、軸孔１２ａに対して対称位置に配置されているので、レンズホルダ１０の回動時の姿勢の変化が少ない。【選択図】　　　図４
2004014020.tif 000002
【特許請求の範囲】
【請求項１】
対物レンズを保持するとともに、軸孔が形成されたレンズホルダと、前記軸孔に嵌まる支軸を備え、前記レンズホルダを支持するホルダ支持部材と、前記レンズホルダをフォーカシング方向またはトラッキング方向に駆動するための駆動マグネットが前記ホルダ支持部材上で対向配置された磁気駆動機構とを有する光ヘッド装置において、
前記レンズホルダは、前記軸孔の中心を通る直線上で前記駆動マグネットの磁気的中心に対向して前記ホルダ支持部材から当該レンズホルダを浮上させる一対の磁性片と、前記支軸との間で前記記軸孔の内周面を前記支軸に押し付ける磁気的吸引力を発生させる側圧用部材とを備え、
当該側圧用部材は、前記対物レンズの中心と前記軸孔の中心とを結ぶ線上のうち、前記軸孔から見て前記対物レンズが配置されている側とは反対側に配置されていることを特徴とする光ヘッド装置。
【請求項２】
請求項１において、前記支軸は、磁性体から構成されている一方、前記側圧用部材は、マグネットから構成されていることを特徴とする光ヘッド装置。
【請求項３】
請求項１または２において、前記側圧用部材は、前記軸孔から見て前記磁性片が配置されている方向と６０°以上の角度をなす位置に配置されていることを特徴とする光ヘッド装置。
【請求項４】
請求項１ないし３のいずれかにおいて、前記側圧用部材は、前記駆動マグネットのいずれからも略等距離の位置に配置されていることを特徴とする光ヘッド装置。
【請求項５】
請求項１ないし４のいずれかにおいて、前記対物レンズも含めた前記レンズホルダの重心は、平面的には前記軸孔内、あるいは当該軸孔から前記側圧用部材に到る領域内に位置し、かつ、前記支軸の軸線方向においては前記側圧用部材が配置されている範囲内に位置していることを特徴とする光ヘッド装置。
【請求項６】
請求項１ないし５のいずれかにおいて、前記レンズホルダをフォーカシング方向およびトラッキング方向に駆動するときの推力中心は、平面的には前記軸孔内、あるいは当該軸孔から前記側圧用部材に到る領域内に位置し、かつ、前記支軸の軸線方向においては前記側圧用部材が配置されている範囲内に位置していることを特徴とする光ヘッド装置。
【請求項７】
請求項１ないし６のいずれかにおいて、前記側圧用部材は、前記レンズホルダ内でフレキシブル基板が引き回されている空間内に配置されていることを特徴とする光ヘッド装置。
【請求項８】
請求項１ないし７のいずれかにおいて、前記側圧の大きさは、前記対物レンズも含めた前記レンズホルダの重量の２倍から４．５倍までの範囲内であることを特徴とする光ヘッド装置。
【発明の詳細な説明】
【０００１】
【発明の属する技術分野】
本発明は、ＣＤ（コンパクトディスク）やＤＶＤ（デジタルバーサタイルディスク）などの光記録媒体などの光記録ディスクの再生に用いられる光ヘッド装置に関するものである。さらに詳しくは、光ヘッド装置において、対物レンズを保持するレンズホルダを支軸で保持する軸摺動回動型の光ヘッド装置における側圧付与技術に関するものである。
【０００２】
【従来の技術】
ＣＤやＤＶＤなどの光記録ディスクの再生に用いられる光ヘッド装置では、対物レンズを保持するレンズホルダをトラッキング方向およびフォーカシング方向に駆動するための対物レンズ駆動機構として、レンズホルダをワイヤーによって支持したワイヤーサスペンション型と呼ばれるもの、レンズホルダに形成した軸孔に嵌められた支軸によってレンズホルダを支持した軸摺動回動型と呼ばれるものがある。
【０００３】
ワイヤーサスペンション型の対物レンズ駆動機構は、対物レンズが取付けられたレンズホルダと、このレンズホルダを支持するワイヤーが固定されたホルダ支持部材と、レンズホルダをトラッキング方向およびフォーカシング方向に駆動する磁気駆動機構とを有しており、ワイヤーの弾性により移動可能に支持されたレンズホルダは、磁気駆動機構によりトラッキング方向およびフォーカシング方向に駆動される。
【０００４】
これに対して、軸摺動回動型の対物レンズ駆動機構は、図５に示すように、対物レンズ４１が取付られたレンズホルダ１０２と、レンズホルダ１０２に形成された軸孔１０３に嵌められる支軸１０４が形成されたホルダ支持部材１０５と、レンズホルダ１０２をトラッキング方向およびフォーカシング方向に駆動する磁気駆動機構とを有している。磁気駆動機構は、レンズホルダ１０２の側面に取付けられた一対のトラッキング駆動コイル１０６および一対のフォーカシング駆動コイル１０７と、各駆動コイル１０６、１０７に対向するように、ホルダ支持部材１０５の側面に取付けられた一対のトラッキング駆動マグネット１０８およびフォーカシング駆動コイル１０９とを備えている。また、レンズホルダ１０２には、トラッキング駆動コイル１０６に重ねてトラッキング駆動マグネット１０８に対向する位置に一対の磁性片１１０が取付けられている。これらの磁性片１１０は、レンズホルダ１０２をホルダ支持部材１０５から磁気浮上させるものである。
【０００５】
ここで、本願出願人は、これらの磁性片１１０をレンズホルダ１０２上でトラッキング駆動マグネットの中心点１０８ａを結ぶ線上から等距離だけずれた位置に配置し、磁性片１１０とトラッキング駆動マグネット１０８の中心点１０８ａとの磁気吸引力の合力からなる側圧Ｓを発生させることにより、軸孔１０３と支軸１０４の間のがたつきを抑える構成を特開平９−２６５６４３号公報で開示しており、このような構造を採用した対物レンズ駆動機構１００では、サスペンション型の対物レンズ駆動機構に比べて良好なチルト特性を得ることができるという利点がある。
【０００６】
【発明が解決しようとする課題】
しかしながら、軸摺動回動型の対物レンズ駆動機構１００では、ワイヤー等の弾性支持体を介してレンズホルダを支持するサスペンション型に比べ、ドライブなどの発生する外部振動が支軸１０４を通してレンズホルダ１０２に直接伝わりやすいため、磁性片１１０による側圧Ｓの大きさ以上の加速度をもった外部振動が加わると、レンズホルダ１０２が姿勢をくずし、サーボ駆動が外れやすいという問題点がある。
【０００７】
そこで、大きな加速度にも耐えうるように磁性片１１０を大きくしたり、磁性片１１０とトラッキング駆動マグネット１０８との間のずらし量を変更して大きな側圧Ｓを発生させることが考えられる。
【０００８】
しかしながら、側圧Ｓを大きくすると、同時に、対物レンズ駆動機構１００の基本的な動作特性も変化させてしまい、ＤＣ感度の低下、消費電力の極端な増大などという問題点が発生する。また、磁性片１１０とトラッキング駆動マグネット１０８とをずらした構成では、ずらし量のばらつきによって、側圧の大きさや方向に大きなばらつきが発生するという問題点がある。特に側圧方向が変動すると、支軸１０４からの振動を大きく拾いやすくなったり、予期しない周波数帯域に振動モードが現れて発振するなど、制御不能な状態に陥る場合がある。
【０００９】
以上の問題に鑑みて、本発明の課題は、レンズホルダの軸孔をホルダ支持部材の支軸に押し当てる側圧の調整を容易に行うことのできる軸摺動回動型の対物レンズ駆動機構を備えた光ヘッド装置を提供することにある。
【００１０】
【課題を解決するための手段】
上記の課題を解決するために、本発明では、対物レンズを保持するとともに、軸孔が形成されたレンズホルダと、前記軸孔に嵌まる支軸を備え、前記レンズホルダを支持するホルダ支持部材と、前記レンズホルダをフォーカシング方向またはトラッキング方向に駆動するための駆動マグネットが前記ホルダ支持部材上で対向配置された磁気駆動機構とを有する光ヘッド装置において、前記レンズホルダは、前記軸孔の中心を通る直線上で前記駆動マグネットの磁気的中心に対向して前記ホルダ支持部材から当該レンズホルダを浮上させる一対の磁性片と、前記支軸との間で前記記軸孔の内周面を前記支軸に押し付ける磁気的吸引力を発生させる側圧用部材とを備え、当該側圧用部材は、前記対物レンズの中心と前記軸孔の中心とを結ぶ線上のうち、前記軸孔から見て前記対物レンズが配置されている側とは反対側に配置されていることを特徴とする。
【００１１】
本発明では、例えば、前記支軸は、磁性体から構成されている一方、前記側圧用部材は、マグネットから構成されている。
【００１２】
本発明においては、レンズホルダに軸孔の内周面を支軸に押付ける専用の側圧用部材を取り付け、側圧用部材および支軸を双方の間に作用する磁気的吸引力によって側圧が発生するように一方をマグネット、他方を磁性体で形成している。従って、側圧用部材を交換することで、側圧の方向を変えることなく、側圧の大きさを変更することができるので、側圧量の調整を容易に行うことができる。また、レンズホルダをホルダ支持部材から浮上させる一対の磁性片は、磁気駆動回路の駆動マグネットの磁気的中心に対向し、軸孔に対して対称の位置に取付けられているので、側圧をかけるために一対の磁性片の位置をレンズホルダの軸孔に対して非対称の位置にした構成と比較して、レンズホルダの回動時、姿勢の安定性が向上するのでレンズチルト性がよい。さらに、軸摺動回動型の光ヘッド装置において、対物レンズの中心および軸孔の中心を結ぶ線上のうち、軸孔から見て対物レンズが配置されている側とは反対側に側圧用部材を配置した場合には、側圧用部材は、レンズホルダに対して光記録媒体のトラック溝に沿う方向の側圧を発生させることになる。このため、トラッキング方向の外部振動が支軸を介してレンズホルダに伝わってきても、このような振動と側圧とが合成されてレンズホルダをトラッキング方向に振動させるということがない。従って、光ヘッド装置の耐震性を向上することができる。
【００１３】
本発明において、前記側圧用部材は、前記軸孔から見て前記磁性片が配置されている方向と６０°以上の角度をなす位置に配置されていることが望ましい。このようにすると、側圧用部材と支軸とによって発生させた側圧が磁性片と駆動マグネットとの間に発生する磁気吸引力によって相殺されるのを抑えることができるので、常に安定した側圧を供給できる。
【００１４】
また、前記側圧用部材は、前記駆動マグネットのいずれからも略等距離の位置に配置されていることが望ましい。このようにすると、側圧用部材と磁気駆動機構との間での磁気的干渉を少なくできる。
【００１５】
本発明において、前記対物レンズも含めた前記レンズホルダの重心は、平面的には前記軸孔内、あるいは当該軸孔から前記側圧用部材に到る領域内に位置し、かつ、前記支軸の軸線方向においては前記側圧用部材が配置されている範囲内に位置していることが望ましい。また、前記レンズホルダをフォーカシング方向およびトラッキング方向に駆動するときの推力中心は、平面的には前記軸孔内、あるいは当該軸孔から前記側圧用部材に到る領域内に位置し、かつ、前記支軸の軸線方向においては前記側圧用部材が配置されている範囲内に位置していることが望ましい。
【００１６】
本発明において、前記側圧用部材は、前記レンズホルダ内でフレキシブル基板が引き回されている空間内に配置されていることが好ましい。このようにすると、側圧用部材の取り付け作業を効率よく行うことができる。
【００１７】
本発明において、前記側圧の大きさは、前記対物レンズも含めた前記レンズホルダの重量の２倍から４．５倍までの範囲にあることが好ましい。このように構成すると、光ヘッド装置を垂直に配置した場合にレンズホルダに加わる重力で側圧が相殺されたとしても、必要な側圧をレンズホルダに加えることができる。また、過大な側圧を加えると、支軸とレンズホルダの軸孔との間に発生する摩擦が大きくなりすぎて磨耗などの問題が発生するが、対物レンズも含めたレンズホルダの重量の４．５倍以下であれば、このような磨耗の問題も発生しない。
【００１８】
【発明の実施の形態】
以下に、図面を参照して、本発明を適用した光ヘッド装置を説明する。なお、以下に説明するように、本発明では、支軸と側圧用部材との間に発生する磁気的吸引力によって側圧を発生させている。従って、支軸および側圧用部材のうちの一方を磁性体で構成し、他方をマグネットで構成すればよい。そこで、以下の説明では、支軸を磁性体で構成し、側圧用部材をマグネットで構成した例を説明するが、それとは反対に支軸をマグネットで構成し、支軸をマグネットで構成してもよい。
【００１９】
（全体構成）
図１は本例の光ヘッド装置の光学系を中心に示す概略構成図である。この図に示すように、光ヘッド装置１は、ＣＤあるいはＤＶＤなどの光記録ディスク５（光記録媒体）に対する情報記録、情報再生を行うものであり、レーザ光源２から出射されたレーザ光が、ハーフミラー３で反射し、対物レンズ４で集光されて光記録ディスク５の情報記録面に焦点を結ぶように構成されている。対物レンズ４は、後述する対物レンズ駆動機構７によってトラッキング方向およびフォーカシング方向の位置および光記録ディスクに対する傾き調整がサーボ制御される。
【００２０】
光記録ディスク５で反射した戻り光は、対物レンズ４およびハーフミラー３を通過して光検知器６（受光手段）に入射する。駆動制御装置８は、光検出器６での受光量に基づき、情報再生処理を行なうと共に、対物レンズ駆動機構７を駆動制御して対物レンズ４のトラッキング方向およびフォーカシング方向の位置をサーボ制御するとともに、後述する対物レンズ４の傾きもサーボ制御する。また、駆動制御装置８は、レーザ光源２の駆動制御も行なう。
【００２１】
（対物レンズ駆動機構）
図２（ａ）、（ｂ）、（ｃ）および（ｄ）はそれぞれ、対物レンズ駆動機構７を取出して示す平面図、断面図、底面図、および正面図である。これらの図に示すように、対物レンズ駆動機構７は、対物レンズ４を保持するレンズホルダ１０と、このレンズホルダ１０を対物レンズ４のトラッキング方向およびフォーカシング方向に移動可能に支持するホルダ支持部材２０を有している。ホルダ支持部材２０は、円形の底壁２１と、その底壁２１の外周縁から立ちあがっている円筒状の外ヨーク２２と、底壁２１の中央から垂直に起立した支軸２３とを備えている。
【００２２】
本形態において、支軸２３は、磁性体からなっている。
【００２３】
レンズホルダ１０は、略円筒状の胴部１１と、この胴部１１の内側に同心円状に配置された円筒状の軸受け部１２とを備え、これらの間は放射状に延びる複数本のリブ１３で繋がれている。軸受け部１２の内部にはフォーカシング方向に貫通する円形断面の軸孔１２ａが形成されている。胴部１１の上端には対物レンズ取付部１４が形成されており、ここに対物レンズ４が搭載されている。
【００２４】
レンズホルダ１０の軸孔１２ａには、ホルダ支持部材２０の支軸２３が下側から差し込まれており、当該レンズホルダ１０はこの支軸２３に沿ってフォーカシング方向Ｆに摺動可能であると共に、当該支軸２３を中心としてトラッキング方向Ｔに回動可能である。
【００２５】
（磁気駆動機構および側圧付与機構）
図３はレンズホルダ１０の説明図であり、（ａ）および（ｂ）は平面図およびは右側面図であり、（ｃ）および（ｄ）はレンズホルダ１０に取付けられる磁性片の部分を示す右側面図および、左側面図であり、（ｅ）、（ｆ）および（ｇ）はレンズホルダ１０に取付けられる側圧用マグネットの部分を示す拡大平面図、拡大正面図および拡大断面図である。図４（ａ）および（ｂ）は、レンズホルダ１０とホルダ支持部材の位置関係を模式的に示す平面図および正面図である。
【００２６】
図２に示すように、本形態の光ヘッド装置１において、対物レンズ駆動機構７はレンズホルダ１０をフォーカシング方向Ｆおよびトラッキング方向Ｔに移動させるための磁気駆動回路を備えている。すなわち、レンズホルダ１０の胴部１１の外周面には一対のフォーカシング用駆動コイル４１、４２と、一対のトラッキング用駆動コイル４３、４４と、これらの駆動コイルに給電するためのフレキシブル基板４５とが取り付けられている。このフレキシブル基板４５は、軸受け部１２と胴部１１の間にリブ１３によって囲まれた空間１５内を引き回され、ホルダ支持部材２０に接続されている。また、ホルダ支持部材２０の側には、その外ヨーク２２の内周面に、一対のフォーカシング用駆動マグネット４６、４７および一対のトラッキング用駆動コイル４８、４９が取り付けられている。
【００２７】
フォーカシング用駆動マグネット４６、４７は、フォーカシング用駆動コイル４１、４２に対峙する部分に配置され、単極に着磁されている。トラッキング用駆動マグネット４８、４９は、トラッキング用駆動コイル４３、４４に対峙する部分に配置され、トラッキング用駆動コイル４３、４４が対峙する部分を中心として周方向に分極着磁されている。
【００２８】
また、図３（ａ）、（ｂ）、（ｃ）、（ｄ）に示すように、レンズホルダ１０の胴部１１には、各トラッキング用駆動コイル４３、４４の下に重ねられて一対の磁性片５１、５２が取付けられ、その取り付け位置は、軸孔１２ａの中心を通る直線上でトラッキング用駆動マグネット４８、４９の磁気的中心４８ａ、４９ａに対向する位置となっている。従って、レンズホルダ１０は、磁性片５１、５２とトラッキング駆動マグネット４８、４９との間の磁気吸引力によってホルダ支持部材２０から浮上した状態にあり、この状態からフォーカシング方向Ｆおよびトラッキング方向Ｔに駆動される。
【００２９】
すなわち、磁気駆動回路において、フォーカシング用駆動コイル４１、４２、およびトラッキング用駆動コイル４３、４４に対してフレキシブル基板４５を介して行われる給電を制御することにより、対物レンズ４（レンズホルダ１０）をホルダ支軸２３に沿って上下方向（フォーカシング方向）、または支軸２３周り（トラッキング方向）に駆動することができる。
【００３０】
また、図３（ａ）、（ｅ）、（ｆ）、（ｇ）に示すように、レンズホルダ１０内のうち、フレキシブル基板４５が引き回されている空間１５、すなわち、軸孔１２ａからみて対物レンズ４と反対側において、軸受け部１２の外周面には、マグネット取付部１６が段差状に形成され、このマグネット取付部１６に側圧用マグネット５３（側圧用部材）が固定されている。側圧用マグネット５３は、軸孔１２ａからみて対物レンズ４と反対側において、対物レンズ４の中心および軸孔１２ａの中心を結ぶ線上に配置されており、このような位置において、側圧用マグネット５３は、フォーカシング用駆動マグネット４６、４７、トラッキング用駆動マグネット４８、４９からほぼ等距離だけ離れている。また、側圧用マグネット５３は、軸孔１２ａから見て一対の磁性片５１、５２が配置されている方向との間の角度θが６０度以上となる位置に配置されている。
【００３１】
また、本形態では、対物レンズ４を含めたレンズホルダ１０の重心は、平面的には軸孔１２ａ内、あるいは軸孔１２ａから側圧用マグネット５３に到る領域内に位置し、かつ、図２（ｂ）に重心位置を点Ｒで示すように、支軸２３の軸線方向において側圧用マグネット５３が配置されている範囲内にある。
【００３２】
さらに、レンズホルダ１０をフォーカシング方向Ｆおよびトラッキング方向Ｔに駆動するときの推力中心（磁気推進力が作用する中心）は、平面的には軸孔１２ａ内、あるいは軸孔１２ａから側圧用マグネット５３に到る領域内に位置し、かつ、図２（ｂ）に推力中心を点Ｒで示すように、支軸２３の軸線方向において側圧用マグネット５３が配置されている範囲内にある。
【００３３】
このように構成した光ヘッド装置１において、図４（ａ）に示すように、レンズホルダ１０には、一対の磁性片５１、５２が軸孔１２ａに対して対称な位置に取り付けられているので、磁性片５１、５２によって側圧を発生させることができないが、レンズホルダ１０において、磁性体からなる支軸２３の近傍に専用の側圧用部材として側圧用マグネット５３が取り付けられている。このため、レンズホルダ１０は、軸孔１２ａの内周面を支軸２３に押付ける側圧Ｓが印加された状態にある。また、このような側圧用マグネット５３であれば、磁力の異なるものに交換することで、側圧Ｓの方向を変えることなく、側圧Ｓの大きさを変更することができる。よって、側圧量の調整を簡単に行うことができる。
【００３４】
例えば、側圧用マグネット５３と支軸２３の間の吸引力（側圧の大きさ）を、対物レンズ４も含めたレンズホルダ１０の重量の２倍から４．５倍までの範囲に設定することができる。このような範囲に設定しておけば、光ヘッド装置１を垂直に配置した場合にレンズホルダ１０に加わる重力で側圧Ｓが相殺されたとしても、必要な大きさの側圧Ｓをレンズホルダ１０に加えることができる。また、過大な側圧Ｓを加えると、支軸２３とレンズホルダ１０の軸孔１２ａとの間に発生する摩擦が大きくなりすぎて磨耗などの問題が発生するが、側圧Ｓの大きさが対物レンズも含めたレンズホルダ１０の重量の４．５倍以下であれば、このような磨耗の問題も発生しない。
【００３５】
また、磁性片５１、５２は、軸孔１２ａに対して対称な位置に取り付けられているので、磁性片を軸孔に対して非対称に配置して側圧を発生させる構成と比較してレンズホルダ１０が回動する時の姿勢変化が少なくレンズチルト性がよい。
【００３６】
また、側圧用マグネット５３は、軸孔１２ａから見て対物レンズ４が配置されている側と反対側において、対物レンズ４の中心および軸孔１２ａの中心を結ぶ線上に配置されているため、レンズホルダ１０に対して光記録ディスク５のトラック溝５ａに沿う方向、すなわち、トラッキング方向Ｔと直交する方向に側圧Ｓを発生させる。このため、トラッキング方向の外部振動が支軸２３を介してレンズホルダ１０に伝わってきても、このような振動と側圧とが合成されてレンズホルダ１０をトラッキング方向に振動させるということがない。従って、光ヘッド装置１の耐震性を向上することができる。
【００３７】
すなわち、光ヘッド装置１が組み込まれるドライブ装置から発生するさまざまな方向の振動のうち、トラッキング方向Ｔの外部振動は、図４（ｂ）に示すように、支軸２３の先端をトラッキング方向Ｔに振動させるため、レンズホルダ１０を駆動する際のサーボの外れが起こりやすい。従って、図４（ａ）に二点鎖線で示すような位置Ｄ１に側圧用マグネット５３を配置するとトラッキング方向Ｔ（光記録ディスク５のラジアル方向）の側圧Ｄがかかるので、レンズホルダ１０は、トラッキング方向Ｔに共振してしまう。しかるに本形態では、側圧Ｓをトラッキング方向Ｔに直交する方向（光記録ディスク５のタンジェンシャル方向）にかけるので、レンズホルダ１０は支軸２３と常に接してはいるものの、側圧Ｓは、トラッキング方向Ｔの外部振動に重畳しないので、高水準の耐震特性を実現することができる。
【００３８】
また、本形態において、側圧用マグネット５３は、軸孔１２ａから見て一対の磁性片５１、５２が配置されている方向と６０°以上の角度θをなす角度方向に配置されているのため、磁性片５１、５２とトラッキング駆動マグネット４８、４９との間に発生した磁気的吸引力によって、側圧用マグネット５３による側圧Ｓが相殺されることがない。それ故、常に安定した側圧Ｓを供給できる。
【００３９】
さらに、側圧用マグネット５３は、フォーカシング駆動コイル４６、４７およびトラッキング駆動マグネット４８、４９のいずれからも略等距離の位置に配置されているので、側圧用マグネット５３と磁気駆動回路の間での磁気的な干渉を小さく抑えることができる。
【００４０】
さらにまた、レンズホルダ１０の重心の位置Ｇ、および、レンズホルダ１０をフォーカシング方向およびトラッキング方向に駆動するときの推力中心の位置Ｒは、側圧用マグネット５３に対向する位置となっているので、レンズホルダ１０に効果的に側圧Ｓをかけることができる。
【００４１】
しかも、側圧用マグネット５３は、レンズホルダ１０内のうち、フレキシブル基板４５が引き回されている空間１５に配置されているので、側圧用マグネット５３をマグネット取付部１６に取付ける際の作業性がよい。
【００４２】
なお、上記の例では、側圧用マグネット５３は１枚であるが、軸受け部１２の上部および下部のそれぞれに取付けるようにして、レンズホルダ１０の厚さ方向の重量バランスを向上させてもよい。
【００４３】
【発明の効果】
以上説明したように、本発明の光ヘッド装置では、レンズホルダに軸孔を支軸に押付けるための側圧用部材を備え、側圧用部材および支軸を双方の間に作用する磁気的吸引力によって側圧を発生させている。従って、側圧用部材を交換して磁気的吸引力の大きさを調整することで、側圧の方向を変えることなく、側圧の大きさを変更することができるので、側圧量の調整を簡単に行うことができる。また、レンズホルダをホルダ支持部材から浮上させる一対の磁性片は、磁気駆動回路の駆動マグネットの磁気的中心に対向し、軸孔に対して対称の位置に取付けられるので、従来のように側圧をかけるために一対の磁性片の位置をレンズホルダの軸孔に対して非対称の位置にした構成よりも、レンズホルダの回動時の姿勢の変化が安定してレンズチルト性がよい。さらに、軸摺動回動型の光ヘッド装置において、対物レンズの中心および軸孔の中心を結ぶ線上のうち、軸孔から見て対物レンズが配置されている側とは反対側に側圧用部材を配置した場合には、側圧用部材は、レンズホルダに対して光記録媒体のトラック溝に沿う方向の側圧を発生させることになる。このため、トラッキング方向の外部振動が支軸を介してレンズホルダに伝わってきても、このような振動と側圧とが合成されてレンズホルダをトラッキング方向に振動させるということがない。従って、光ヘッド装置の耐震性を向上することができる。
【図面の簡単な説明】
【図１】本発明が適用される光ヘッド装置の光学系を示す概略構成図である。
【図２】（ａ）、（ｂ）、（ｃ）および（ｄ）はそれぞれ、図１の光ヘッド装置における対物レンズ駆動機構を示す平面図、断面図、底面図、および正面図である。
【図３】（ａ）および（ｂ）は対物レンズ駆動機構のレンズホルダを示す平面図および右側面図であり、（ｃ）および（ｄ）はレンズホルダに取付けられた磁性片の部分を示す右側面図および、左側面図であり、（ｅ）、（ｆ）および（ｇ）はレンズホルダに取付けられた側圧用マグネットの部分を示す拡大平面図、拡大正面図および拡大断面図である。
【図４】（ａ）および（ｂ）は、本例の対物レンズ駆動機構を模式的に示す平面図および正面図である。
【図５】従来の光ヘッド装置における対物レンズ駆動機構を模式的に示す平面図である
【符号の説明】
１　光ヘッド装置
２　レーザ光源
３　ハーフミラー
４　対物レンズ
５　光記録ディスク（光記録媒体）
５ａ　トラック溝
６　光検知器（受光手段）
７　対物レンズ駆動機構
８　駆動制御装置
１０　レンズホルダ
１２　軸受け部
１２ａ　軸孔
１４　レンズ取付部
１５　空間
２０　ホルダ支持部材
２３　支軸
４１、４２　フォーカシング用駆動コイル
４３、４４　トラッキング駆動コイル
４５　フレキシブル基板
４６、４７　フォーカシング用駆動マグネット
４８、４９　トラッキング用駆動マグネット
５１、５２　磁性片
５３　側圧用マグネット（側圧用部材）
Ｆ　フォーカシング方向
Ｔ　トラッキング方向
Ｆ　側圧方向
Ｇ　レンズホルダの重心
Ｒ　レンズホルダの駆動推力中心
【図１】
2004014020.tif 000003
【図２】
2004014020.tif 000004
【図３】
2004014020.tif 000005
【図４】
2004014020.tif 000006
【図５】
2004014020.tif 000007